(57)【要約】【課題】蓋体構造により下ろくろ上の締め槽及び金属線を遮蔽し、見た目を良くすることができる上、締め槽又は金属線の先端が使用者の手などに刺さって怪我することを防ぐ傘構造を提供する。【解決手段】傘構造は、中棒２、下ろくろ４、傘骨構成３、傘布８１及び蓋体を備える。中棒２は、底端に手元８２が固定され、頂端に上ろくろ６が固定される。下ろくろ４は、中棒２上に移動可能に嵌設される。下ろくろ４の頂端には、複数個の縦方向溝５１が形成される。縦方向溝５１は、横向きに形成された締め槽５２を少なくとも１個有する。締め槽５２には、金属線２０が収容される。傘骨構成３は、親骨３１及び受骨３２を有する。親骨３１の一端は、上ろくろ６に固定される。受骨３２は、一端が親骨３１に固定され、他端が下ろくろ４の縦方向溝中に固定され、締め槽５２に金属線２０が１周巻き付けられて補助骨３３全てが下ろくろ４に固定される。【選択図】図２
0003210046.tif 000002
【実用新案登録請求の範囲】
【請求項１】
中棒、下ろくろ、傘骨構成、傘布及び蓋体を備えた傘構造であって、
前記中棒は、底端に手元が固定され、頂端に上ろくろが固定され、
前記下ろくろは、前記中棒上に移動可能に嵌設され、前記下ろくろの頂端には、複数個の縦方向溝が形成され、前記縦方向溝は、横向きに形成された締め槽を少なくとも１個有し、前記締め槽には、金属線が収容され、
前記傘骨構成は、親骨及び受骨を有し、前記親骨の一端は、前記上ろくろに固定され、前記受骨は、一端が前記親骨に固定され、他端が前記下ろくろの前記縦方向溝中に固定され、前記締め槽に前記金属線が１周巻き付けられて補助骨全てが前記下ろくろに固定され、
前記傘布は、前記親骨に固定され、
前記蓋体は、前記中棒に嵌設されるとともに、前記下ろくろと中ろくろとの間に位置し、
前記蓋体は、上スクリーングリッド及び下スクリーングリッドを有し、
前記下スクリーングリッドは、前記下ろくろの頂端に強固に固定的に結合され、前記下ろくろの前記締め槽及び前記金属線を遮蔽し、前記縦方向溝のみが露出され、前記受骨が挿通されることを特徴とする、
傘構造。
【請求項２】
中棒、中ろくろ、下ろくろ、主スプリング、傘骨構成、傘布、蓋体、上スクリーングリッド及び下スクリーングリッドを備えた傘構造であって、
前記中棒は、底端に手元が固定され、頂端に上ろくろが固定され、
前記中ろくろは、前記中棒上に移動可能に嵌設されるとともに、複数個の縦方向溝を有し、前記縦方向溝は、横向きに形成された締め槽を少なくとも１個有し、前記締め槽には、金属線が収容され、
前記下ろくろは、前記中棒上に移動可能に嵌設されて前記中ろくろの下方に位置し、前記下ろくろの頂端には、複数個の縦方向溝が形成され、前記縦方向溝は、横向きに形成された前記締め槽を少なくとも１個有し、前記締め槽には、金属線が収容され、
前記主スプリングは、一端が前記下ろくろの頂端に当接され、他端が前記中ろくろの底端に当接され、前記下ろくろが移動すると前記中ろくろがそれに伴って連動し、
前記傘骨構成は、親骨、受骨及び補助骨を有し、前記親骨の一端は、上ろくろに固定され、前記受骨は、一端が前記親骨に固定され、他端が前記中ろくろの前記縦方向溝中に固定され、前記締め槽に前記金属線が１周巻き付けられ、前記受骨全てが前記中ろくろに固定され、前記補助骨は、一端が前記受骨に固定され、他端が前記下ろくろの前記縦方向溝中に固定され、前記締め槽に前記金属線が１周巻き付けられて前記補助骨全てが前記下ろくろに固定され、
前記傘布は、前記親骨に固定され、
前記蓋体は、前記中棒に嵌設されるとともに、前記下ろくろと前記中ろくろとの間に位置し、
前記蓋体は、前記上スクリーングリッド及び前記下スクリーングリッドを有し、
前記下スクリーングリッドは、前記下ろくろの頂端に強固に固定的に結合され、前記下ろくろの前記締め槽を遮蔽し、前記縦方向溝のみが露出され、前記補助骨が挿通され、
前記上スクリーングリッドは、前記主スプリングの底端が露出されることを防ぐために、前記主スプリングを取り囲むように設けられることを特徴とする、
傘構造。
【請求項３】
前記下スクリーングリッドは、前記上スクリーングリッドより大きく、上から下方向へ広くなった構造に形成され、前記上スクリーングリッド及び前記下スクリーングリッドは、凹口に隣り合うスクリーン片を取り囲むように設けられ、前記下スクリーングリッドの前記凹口と前記下ろくろの前記縦方向溝との幅が同じであるため、前記補助骨が前記凹口中に位置し、前記スクリーン片は、前記下ろくろの前記締め槽及び前記金属線を遮蔽し、前記上スクリーングリッドの前記凹口と前記中ろくろの前記縦方向溝との幅が同じであるため、前記受骨が前記凹口中に収容され、前記スクリーン片により前記中ろくろの前記締め槽及び前記金属線を遮蔽することを特徴とする請求項２に記載の傘構造。
【考案の詳細な説明】
【技術分野】
【０００１】
本考案は、傘構造に関し、特に、蓋体により下ろくろの締め槽を遮蔽し、締め槽から金属線が露出して使用者に刺し傷が生じることを防ぐことができる上、見た目が良い傘構造に関する。
【背景技術】
【０００２】
図１を参照する。図１に示すように、従来の自動傘構造は、少なくとも中棒１１、傘骨構成１２、下ろくろ１３、中ろくろ１４、上ろくろ１５、主スプリング１６、手元（ハンドル）１８及び傘布１７を含む。
手元１８は、中棒１１の底端に固定される。上ろくろ１５は、中棒１１の頂端に固定されるとともに、中ろくろ１４及び下ろくろ１３は移動可能に中棒１１に嵌入される。下ろくろ１３及び中ろくろ１４には、締め槽１３１，１４１が形成されている。締め槽１３１，１４１は、金属線１９を収容するために用いる。主スプリング１６は、一端が下ろくろ１３の頂端に当接され、他端が中ろくろ１４の底端に当接される。傘骨構成１２は、親骨１２１、受骨１２２及び補助骨１２３を含む。親骨１２１の一端は、上ろくろ１５に固定される。受骨１２２は、一端が親骨１２１に固定され、他端が中ろくろ１４に固定される。補助骨１２３は、一端が受骨１２２に固定され、他端が下ろくろ１３に固定される。受骨１２２及び補助骨１２３は、金属線１９を介して中ろくろ１４及び下ろくろ１３に固定される。傘布１７は、親骨１２１に固定される。下ろくろ１３は、中ろくろ１４を上方へ移動させる際、補助骨１２３、受骨１２２及び補助骨１２３の連動関係により、傘布１７を全方向性で開いて開傘状態が維持される。これとは反対に、傘の閉操作は下ろくろ１３を下方へ移動させて行う。
【０００３】
しかし、従来の自動傘は、主スプリング１６及び下ろくろ１３に設けられた締め槽１３１及び金属線１９が露出された状態であるため、見た目が好ましくなく、使用者が傘の閉操作を行うときに、不注意から締め槽１３１又は金属線１９の先端で手などを刺したり切ったりして怪我する虞があり、実用性が低かった。
【０００４】
また、手動傘の下ろくろは、同様に締め槽及び金属線が露出される問題があり、改良の必要があった。
【０００５】
そのため、下ろくろの締め槽を遮蔽する簡素な構造が求められていた。
【考案の概要】
【考案が解決しようとする課題】
【０００６】
本考案の主な目的は、蓋体構造により下ろくろの締め槽及び金属線を遮蔽して見た目を良くする上、締め槽又は金属線の先端が使用者の手などに刺さって怪我することを防ぐ傘構造を提供することにある。
本考案のもう一つの目的は、自動傘及び手動傘にも適用可能で、実用性に優れた傘構造を提供することにある。
【課題を解決するための手段】
【０００７】
上記課題を解決するために、本考案の第１の形態によれば、中棒、下ろくろ、傘骨構成、傘布及び蓋体を備えた傘構造であって、前記中棒は、底端に手元が固定され、頂端に上ろくろが固定され、前記下ろくろは、前記中棒上に移動可能に嵌設され、前記下ろくろの頂端には、複数個の縦方向溝が形成され、前記縦方向溝は、横向きに形成された締め槽を少なくとも１個有し、前記締め槽には、金属線が収容され、前記傘骨構成は、親骨及び受骨を有し、前記親骨の一端は、前記上ろくろに固定され、前記受骨は、一端が前記親骨に固定され、他端が前記下ろくろの前記縦方向溝中に固定され、前記締め槽に前記金属線が１周巻き付けられて補助骨全てが前記下ろくろに固定され、前記傘布は、前記親骨に固定され、前記蓋体は、前記中棒に嵌設されるとともに、前記下ろくろと中ろくろとの間に位置し、前記蓋体は、上スクリーングリッド及び下スクリーングリッドを有し、前記下スクリーングリッドは、前記下ろくろの頂端に強固に固定的に結合され、前記下ろくろの前記締め槽及び前記金属線を遮蔽し、前記縦方向溝のみが露出され、前記受骨が挿通されることを特徴とする傘構造が提供される。
【０００８】
上記課題を解決するために、本考案の第２の形態によれば、中棒、中ろくろ、下ろくろ、主スプリング、傘骨構成、傘布、蓋体、上スクリーングリッド及び下スクリーングリッドを備えた傘構造であって、前記中棒は、底端に手元が固定され、頂端に上ろくろが固定され、前記中ろくろは、前記中棒上に移動可能に嵌設されるとともに、複数個の縦方向溝を有し、前記縦方向溝は、横向きに形成された締め槽を少なくとも１個有し、前記締め槽には、金属線が収容され、前記下ろくろは、前記中棒上に移動可能に嵌設されて前記中ろくろの下方に位置し、前記下ろくろの頂端には、複数個の縦方向溝が形成され、前記縦方向溝は、横向きに形成された前記締め槽を少なくとも１個有し、前記締め槽には、金属線が収容され、前記主スプリングは、一端が前記下ろくろの頂端に当接され、他端が前記中ろくろの底端に当接され、前記下ろくろが移動すると前記中ろくろがそれに伴って連動し、前記傘骨構成は、親骨、受骨及び補助骨を有し、前記親骨の一端は、上ろくろに固定され、前記受骨は、一端が前記親骨に固定され、他端が前記中ろくろの前記縦方向溝中に固定され、前記締め槽に前記金属線が１周巻き付けられ、前記受骨全てが前記中ろくろに固定され、前記補助骨は、一端が前記受骨に固定され、他端が前記下ろくろの前記縦方向溝中に固定され、前記締め槽に前記金属線が１周巻き付けられて前記補助骨全てが前記下ろくろに固定され、前記傘布は、前記親骨に固定され、前記蓋体は、前記中棒に嵌設されるとともに、前記下ろくろと前記中ろくろとの間に位置し、前記蓋体は、前記上スクリーングリッド及び前記下スクリーングリッドを有し、前記下スクリーングリッドは、前記下ろくろの頂端に強固に固定的に結合され、前記下ろくろの前記締め槽を遮蔽し、前記縦方向溝のみが露出され、前記補助骨が挿通され、前記上スクリーングリッドは、前記主スプリングの底端が露出されることを防ぐために、前記主スプリングを取り囲むように設けられることを特徴とする傘構造が提供される。
【０００９】
前記下スクリーングリッドは、前記上スクリーングリッドより大きく、上から下方向へ広くなった構造に形成され、前記上スクリーングリッド及び前記下スクリーングリッドは、凹口に隣り合うスクリーン片を取り囲むように設けられ、前記下スクリーングリッドの前記凹口と前記下ろくろの前記縦方向溝との幅が同じであるため、前記補助骨が前記凹口中に位置し、前記スクリーン片は、前記下ろくろの前記締め槽及び前記金属線を遮蔽し、前記上スクリーングリッドの前記凹口と前記中ろくろの前記縦方向溝との幅が同じであるため、前記受骨が前記凹口中に収容され、前記スクリーン片により前記中ろくろの前記締め槽及び前記金属線を遮蔽することが好ましい。
【図面の簡単な説明】
【００１０】
【図１】従来の傘構造を示す説明図である。
【図２】本考案の一実施形態に係る傘構造の自動傘を示す断面図である。
【図３】本考案の一実施形態に係る傘構造の自動傘を示す分解斜視図である。
【図４】図３の斜視図である。
【図５】本考案の一実施形態に係る傘構造の手動傘を示す断面図である。
【図６】本考案の一実施形態に係る傘構造の手動傘の下ろくろと蓋体とを結合するときの状態を示す斜視図である。
【考案を実施するための形態】
【００１１】
以下、本考案を実施形態に基づいて、より具体的に説明する。但し、本考案はこれらの実施例に何ら限定されるものではない。
【００１２】
図２〜図４を参照する。図２〜図４に示すように、本考案の一実施形態に係る傘構造は、少なくとも中棒２、傘骨構成３、下ろくろ４、中ろくろ５、上ろくろ６、主スプリング７、手元（ハンドル）８２、傘布８１及び蓋体９から構成されてなる。
手元８２は、中棒２の底端に固定される。上ろくろ６は、中棒２の頂端に固定される。中ろくろ５及び下ろくろ４は、中棒２に嵌合される。下ろくろ４及び中ろくろ５には、複数個の縦方向溝４１，５１が形成される。縦方向溝４１，５１には、１本以上の横向きに形成された締め槽４２，５２が形成される。締め槽４２，５２は、縦方向溝４１，５１に対して垂直に形成される。締め槽４２，５２は、金属線２０を収容するために用いる。主スプリング７は、一端が下ろくろ４の頂端に当接され、他端が中ろくろ５の底端に当接され、下ろくろ４が移動すると中ろくろ５がそれに伴って連動する。
傘骨構成３は、親骨３１、受骨３２及び補助骨３３を含む。親骨３１の一端は、上ろくろ６に固定される。受骨３２は、一端が親骨３１に固定され、他端が中ろくろ５の縦方向溝５１中に固定され、金属線２０を締め槽５２に１周巻き付けると、受骨３２全てが中ろくろ５に固定される。補助骨３３は、一端が受骨３２に固定され、他端が下ろくろ４の縦方向溝４１中に固定され、金属線２０を締め槽４２に１周巻き付けると、補助骨３３全てが下ろくろ４に固定される。傘布８１は、親骨３１に固定される。
【００１３】
図２及び図３を参照する。図２及び図３に示すように、本考案の一実施形態に係る傘構造の蓋体９は、上スクリーングリッド９１及び下スクリーングリッド９２を含む。
下スクリーングリッド９２は、上スクリーングリッド９１より大きく、上から下方向へ広くなった構造に形成され、上スクリーングリッド９１及び下スクリーングリッド９２は、凹口９１１，９２１に隣り合うスクリーン片９１２，９２２を取り囲むように設けられる。蓋体９は、中棒２上に嵌合されるとともに、下ろくろ４と中ろくろ５との間に位置し、下スクリーングリッド９２が下ろくろ４の頂端に固定的に結合される。下スクリーングリッド９２の凹口９２１と下ろくろ４の縦方向溝４１との幅が同じであるため、補助骨３３が凹口９２１中に位置し、スクリーン片９２２は、締め槽４２を遮蔽するとともに、金属線２０を遮蔽し、外観上、補助骨３３だけが見え、凹口９２１を介して受骨３２まで延び、見た目を良くすることができる。
蓋体９の上スクリーングリッド９１は、主スプリング７の底端が露出されることを防ぐために、主スプリング７を取り囲むように設けられる。傘を閉傘状態にすると、主スプリング７が圧縮されて蓋体９中に収容され、上スクリーングリッド９１の凹口９１１と中ろくろ５の縦方向溝５１との幅が同じであるため、受骨３２が凹口９１１中に収容され、スクリーン片９１２により中ろくろ５の締め槽５２及び金属線２０を遮蔽し、外観上、受骨３２だけが見え、凹口９１１を介して親骨３１まで延び、見た目を良くすることができる。
【００１４】
下ろくろ４及び中ろくろ５に設けた締め槽４２，５２と、金属線２０と、主スプリング７とが蓋体９により覆われているため、再び傘の開操作を行う際、下ろくろ４に設けた締め槽４２及び金属線２０が隠されて全く見えず、使用者が傘の閉操作を行う際、締め槽４２及び金属線２０の先端により手を切ったり刺したりして怪我をする虞がない。
また、傘の閉操作を行う際も中ろくろ５の締め槽５２及び金属線２０が同様に隠されているため、閉傘状態の見た目が良い。
【００１５】
図５及び図６を参照する。図５及び図６に示すように、本考案の他の実施形態に係る手動傘構造は、図２の構造と異なり、手動傘は、中ろくろ５及び主スプリング７及び補助骨３３を設置する必要が無く、受骨３２の一端を下ろくろ４’の縦方向溝４１’に固定し、受骨３２の他端を親骨３１の中段部に固定し、同様に、蓋体を中棒２へ嵌入し、下スクリーングリッド９２により下ろくろ４’を覆い、下スクリーングリッド９２を下ろくろ４の頂端に強固に固定的に結合する。下スクリーングリッド９２の凹口９２１と下ろくろ４の縦方向溝４１’との幅が等しいため、受骨３２が凹口９２１中に位置し、スクリーン片９２２は締め槽４２’を遮蔽するとともに、金属線２０を遮蔽し、外観上、補助骨３３だけが見え、凹口９２１を介して親骨３１まで延び、見た目が良くなるとともに、金属線により手などを刺して怪我することを防ぐことができる。なお、その構造については図２の構造と同じであるため、ここでは繰り返して述べない。
【００１６】
上述したことから分かるように、本考案の傘構造は、従来技術と比べて以下（１）及び（２）の長所を有する。
（１）蓋体構造により下ろくろ上の締め槽及び金属線を遮蔽し、見た目を良くすることができる上、締め槽又は金属線の先端が使用者の手などに刺さって怪我することを防ぐ。
（２）自動傘及び手動傘にも適用可能で、実用性に優れる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
２  中棒
３  傘骨構成
４  下ろくろ
４’  下ろくろ
５  中ろくろ
６  上ろくろ
７  主スプリング
９  蓋体
１１  中棒
１２  傘骨構成
１３  下ろくろ
１４  中ろくろ
１５  上ろくろ
１６  主スプリング
１７  傘布
１８  手元
１９  金属線
２０  金属線
３１  親骨
３２  受骨
３３  補助骨
４１  縦方向溝
４１’  縦方向溝
４２  締め槽
４２’  締め槽
５１  縦方向溝
５２  締め槽
８１  傘布
８２  手元
９１  上スクリーングリッド
９２  下スクリーングリッド
１２１  親骨
１２２  受骨
１２３  補助骨
１３１  締め槽
１４１  締め槽
９１１  凹口
９１２  スクリーン片
９２１  凹口
９２２  スクリーン片
【図１】
0003210046.tif 000003
【図２】
0003210046.tif 000004
【図３】
0003210046.tif 000005
【図４】
0003210046.tif 000006
【図５】
0003210046.tif 000007
【図６】
0003210046.tif 000008